(57)【特許請求の範囲】
【請求項１】
遠隔装置内で基地局との通信開始を実行する方法であって、
遠隔装置が、基地局にチャネル要求メッセージを送信する工程と、
遠隔装置が、チャネル要求メッセージに応答し、遠隔装置と通信可能な基地局のリストを受信する工程であって、同リストに含まれる基地局は遠隔装置との通信用にトラヒック・データチャネルを確保している、前記工程と、
遠隔装置が、遠隔装置と通信可能な基地局のリストに含まれる基地局を監視して、同リストから最もよく機能する基地局を決定する工程と、
遠隔装置が、該最もよく機能する基地局と通信を開始する工程と
から成る方法。
【請求項２】
請求項１に記載の方法であって、遠隔装置によって、チャネル要求メッセージを送信する工程が、
最もよく機能する基地局を決定するため、遠隔装置の無線環境を分析する工程と、
該分析工程に応答し、最もよく機能する基地局にチャネル要求メッセージを送信する工程と
から成る方法。
【請求項３】
請求項１に記載の方法であって、最もよく機能する基地局に通信を開始する工程が、最もよく機能する基地局との通信が要望されていることを、最もよく機能する基地局に通知するため、逆リンクパイロットを伝送する工程から成る方法。
【請求項４】
基地局における、遠隔装置による通信開始を支援する方法であって、
遠隔装置からチャネル要求メッセージを受信する工程と、
閾値を超える信号強度を有する遠隔装置によって受信される基地局のリストを入手するため、前記チャネル要求メッセージを分析する工程と、
遠隔装置からのアップリンク通信を聞くよう、基地局のリストからの複数個の基地局に指示する工程と、該指示が、該複数個の基地局に、遠隔装置との通信用のトラヒック・データチャネルを確保させることとから成る方法。
【請求項５】
請求項４に記載の方法であって、
遠隔装置との通信を支援できる該複数個の基地局を決定するため、閾値を超える信号強度を有する遠隔装置によって受信される基地局のリストを分析する工程
からさらに成る方法。
【請求項６】
遠隔装置であって、
基地局にチャネル要求メッセージを送信する手段と、
前記チャネル要求メッセージに応答し、遠隔装置と通信可能な基地局のリストを受信する手段であって、同リストに含まれる基地局は遠隔装置との通信用にトラヒック・データチャネルを確保している、前記手段と、
遠隔装置と通信可能な前記基地局のリストに含まれる基地局を監視して、同リストから最もよく機能する基地局を決定する手段と、
前記最もよく機能する基地局と通信を開始する手段と
から成る遠隔装置。
【発明の詳細な説明】
【０００１】
（発明の属する技術分野）
本発明は一般に無線通信システムに関し、詳細には、かかる通信システム内で通話開始を実施する方法および装置に関する。
【０００２】
（発明の背景）
現在のＣＤＭＡシステムは、基地局から送られるチャネル割当てメッセージを介して通話開始を実行する。詳細には、移動型装置または遠隔装置が、最良の無線環境特徴（OTHER_REPORTED_LIST ）を有する基地局を決定するため、その無線環境を監視する。次に、遠隔装置は、最良の無線環境特徴を有する基地局候補に開始メッセージを送信する。開始メッセージは基地局のOTHER_REPORTED_LIST を含む。次に、開始メッセージを受信した基地局は、特定の基地局との通信を開始するよう遠隔装置に指示するチャネル割当てメッセージを遠隔装置に送る。
【０００３】
残念ながら、遠隔装置の無線環境が急速に変化するために、チャネル割当てメッセージが遠隔装置に到達する時点には、別の基地局が移動型装置により良好に機能するという状況が存在する。そのような状況では、遠隔装置が質が低い基地局と通信を開始する。したがって、遠隔装置が、質が低い無線環境特徴を有する基地局との通話を開始する可能性を減少する、通信システム内で通話開始を実施する方法および装置に対する需要が存在する。
【０００４】
（詳細な図面の説明）
上記の需要を満たすため、本願では、通信システム内で通話開始を実施する方法および装置が提供される。本発明の好ましい実施形態によると、基地局が遠隔装置から通話開始メッセージを受信後、基地局は、遠隔装置との通信を支援できる基地局を（基地局のOT HER_REPORTED_LIST内で）決定する。適格な基地局（適格なセット）は、遠隔装置からの通信を「聞く」よう指示され、遠隔装置は適格なセットを提供される。遠隔装置が適格な基地局のセットを受信すると、遠隔装置は次に、最良の無線環境特徴を有する基地局を決定し、該基地局との通信を開始する。
【０００５】
遠隔装置が、どの基地局と通信を開始するかを決定するため、適格なセットの中の各基地局の無線環境特徴が通話開始時に考慮される。無線環境特徴が通話開始時に考慮されるため、質の低い無線環境特徴を有する基地局と遠隔装置が通話を開始する可能性が大幅に減少される。
【０００６】
本発明は、通信システム内で通話開始を実行する方法を含む。該方法は、遠隔装置によって、基地局にチャネル要求メッセージを送信する工程と、該チャネル要求メッセージに応答して、遠隔装置との通信が可能な基地局のリストを遠隔装置によって受信する工程とから成る。遠隔装置は、遠隔装置との通信が可能な基地局のリストから最もよく機能を果たす基地局を決定し、該最もよく機能を果たす基地局に通話を開始する。
【０００７】
本発明は、遠隔装置からのチャネル要求メッセージを受信する工程と、閾値を超える信号強度を有する遠隔装置によって受信される基地局のリストを入手するため、チャネル要求メッセージを分析する工程とから成る方法をさらに含む。基地局のリストからの複数個の基地局は、遠隔装置からのアップリンク通信を聞くよう指示され、該指示により、該複数個の基地局が、遠隔装置との通信用にトラヒック・データチャネルを確保する。
【０００８】
本発明は、通信システム内で通話開始を実行する方法をさらに含む。該方法は、遠隔装置からのアップリンク通信を聞くようにという指示を受信する工程と、聞くようにという指示に応答し、遠隔装置との通信用にアップリンク通信チャネルを確保する工程とから成る。最後に、通話開始が遠隔装置から受信され、通話開始は、遠隔装置から伝送されるアップリンクパイロットチャネル内の確保されたフィールドから成る。
【０００９】
次に図面について説明するが、同様の番号は同様のコンポーネントを示す。図１は、本発明の好ましい実施形態による通信システム１００のブロック図である。本発明の好ましい実施形態において、通信システム１００は、電子工業会の携帯電話システム遠隔装置・基地局互換性基準／通信産業協会暫定基準２０００（TIA/EIA/IS-2000-A ）に記載されるように、符号分割多元接続（ＣＤＭＡ）システムプロトコルを利用する。ただし、別の実施形態では、通信システム１００は、ＵＭＴＳ広帯域ｃｄｍａＳＭＧ２ＵＭＴＳ物理層エキスパートグループＴｄｏｃＳＭＧ２ＵＭＴＳ−Ｌ１２２１／９８（ＵＭＴＳ２２１／９８）に記載されるような次世代ＣＤＭＡアーキテクチャ、「１．８〜２．０ＧＨｚ符号分割多元接続（ＣＤＭＡ）個人通信システムの個人局・基地局互換性条件」（米規格協会（ＡＮＳＩ）Ｊ- ＳＴＤ- ００８）に記載されるようなＣＤＭＡシステムプロトコルである携帯通信（ＧＳＭ）プロトコル用次世代グローバルシステム、若しくは第３世代パートナーシッププロジェクト（３ＧＰＰ）第３世代携帯システムリリース３を含むがこれに限られない他のデジタル携帯通信システムプロトコルを利用できる。
【００１０】
通信システム１００は、基地局（ＢＴＳ）１０１〜１０３などの複数のネットワーク要素と、移動型装置または遠隔装置１１３と、基地局コントローラ（ＢＳＣ）１０７とを含む。図示されるように、遠隔装置１１３は、アップリンク通信信号１１９を介して基地局１０１〜１０２と通信し、基地局１０１〜１０３は、ダウンリンク通信信号１１６を介して遠隔装置１１３と通信する。本発明の好ましい実施形態では、全ネットワーク要素はモトローラ社（Motorola, Inc.モトローラ社、1301 East Algonquin Road, Schaumburg, IL60196 所在）から入手可能である。通信システム１００内のネットワーク要素は、周知の様式で、本願に記載される機能を実施するよう任意の適切な様式で機能するプロセッサ、メモリ、命令セットなどで構成されることが予想される。
【００１１】
現在のＣＤＭＡシステムは、１個のセルから別のセルへの移行中に、移動局が多数の基地局（ＢＴＳ）と同時に通信するソフトハンドオフを実行する。ただし、多数のＢＴＳが１個のＭＳに伝送するため、対象となる多くの現実世界の場合、ソフトハンドオフは、システム容量を浪費するか、送信リンクに対するさらなる干渉を生じる。高速セルサイト選択（ＦＣＳＳ）は、１個の基地局を利用してＣＤＭＡシステム内で遠隔装置が通信できるようにすることで、ソフトハンドオフを排除する。言い換えると、ＦＣＳＳは、（モノキャストの場合）無線フレームを伝送する基地局を１つだけ選択する。本発明の好ましい実施形態では、ＦＣＳＳ通話開始が説明されるが、当業者であれば、ＦＣＳＳを利用しない通信システムに本発明を組み込めることが理解される。さらに、以下の説明において、種々の基地局間の通話の開始と、単一または多数の基地局の種々のセクター間の通話の開始とは区別していない。したがって、以下の説明で、特定の基地局への通話を開始するために利用される手順は、基地局内の特定のセクターへの通話の開始に等しく適用できる。後者の場合、基地局の各セクターは、開始を目的として、個別の基地局として扱うことができる。
【００１２】
図２は、本発明の好ましい実施形態による図１の通信システム１００の動作を示すフローチャートである。論理フローは、遠隔装置１１３が、最良の無線環境特徴を有する基地局に関する無線環境を積極的に監視する工程２０１から始まる。特に、遠隔装置１１３は、最良のパイロットチャネル受信（Ｅｃ／Ｉｏ）を有する基地局を決定するため、各基地局から伝送される該パイロットチャネルを監視する。工程２０３で、遠隔装置１１３は、最良の無線特徴を有する基地局（たとえば基地局１０１）にチャネル要求（TIA/EIA/IS-2000-A 開始メッセージまたはページ応答メッセージ）を伝送する。本発明の好ましい実施形態で、無線環境レポートが開始メッセージかページ応答メッセージとともに送られ、特定の閾値（TIA/EIA/IS-2000-A T_ADD ）を超える信号強度測定値のすべての基地局を示す（本発明の好ましい実施形態では、T_ADD を超える信号強度を有すると遠隔装置１１３が検出した基地局のリストは、基地局のOTHER_REPORTED_LIST と称される）。
【００１３】
工程２０５で引き続き、基地局１０１は、遠隔装置１１３との通信を支援することができる基地局をOTHER_REPORTED_LIST 内で決定する。通信リンクの各端部にあるデバイスが異なる能力を有することはしばしばある。たとえば、移動局は、第１セットの動作パラメータ（たとえば符号化・復号化フレームフォーマット、データ速度、データサービスなどのサービスオプションなど）を支援でき、一方、携帯通信システム内の基地局は第２セットの動作パラメータを支援する。さらに、ある基地局が遠隔装置１１３との通信を支援できるとしても、特定の基地局は、遠隔装置１１３との通信を支援するためのリソース（たとえばチャネルカード、基地局の処理能力、リンクパワー割当量、バックホール能力など）を有していない場合がある。これに留意し、基地局１０１はＢＳＣ１０７にアクセスし、OTHER_REPORTED_LIST 内の基地局用にこれらの能力が提供される。次に基地局１０１は、適格なセットの中の基地局の数が、OTHER_REPORTED_LIST 内の基地局以下であるように、遠隔装置１１３との通信に適格な基地局（適格なセット）を決定する。
【００１４】
引き続き工程２０７で、基地局１０１は適格なセット内のすべての基地局に、遠隔装置１１３からの通信を「聞く」よう通知する。特に、基地局１０１は適格なセット内のすべての基地局に、遠隔装置１１３からの逆パイロット通信を聞くよう通知する。次に、適格なセットの中の全基地局は、遠隔装置１１３との通信用にトラヒック・データチャネルを確保し（工程２０９）、工程２１１で、基地局１０１は拡張チャネル割当メッセージを介して、適格なセットを遠隔装置１１３に提供する。工程２１３で、遠隔装置１１３は適格なセットを監視し、最良の無線環境特徴を有する基地局（たとえば基地局１０２）を決定し、工程２１５で、基地局１０２との通信を開始する。特に、工程２１５で、遠隔装置１１３は、該基地局との通信が望まれることを、最もよく機能する基地局に通知するため、逆リンクパイロットチャネル内のTRANSMIT_SECTOR_INDICATOR フィールドを利用する。本発明の好ましい実施形態で、TRANSMIT_SECTOR_INDICATOR フィールドは、TIA/EIA/IS-2000-A に記述されるPN_OFFSET またはPN_PHRASE フィールドと似ている。最後に工程２１７で、基地局１０２との制御チャネル上で通信が確立され、一方で、他の基地局すべてがその確保していたチャネルを解除できる。
【００１５】
前述のように、（基地局１０１ではなく）遠隔装置１１３が、どの基地局で通信を開始するかの決定を行うため、適格なセット内の各基地局の無線環境特徴は、通信の確立直前に決定される。これにより、遠隔装置が質の低い無線環境特徴を有する基地局と通信を確立する確率が大幅に減少する。
【００１６】
図３は、本発明の好ましい実施形態による図１の基地局の動作を示すフローチャートである。本発明の第１実施形態で、基地局の動作は、基地局によって受信される開始メッセージまたはページ応答メッセージへの応答で説明される。論理フローは、基地局（たとえば基地局１０１）が、遠隔装置１１３からチャネル要求メッセージ（開始メッセージまたはページ応答メッセージ）を受信する工程３０１で始まる。チャネル要求メッセージに応答して、閾値（T_ADD ）を超える信号強度レベルで遠隔装置が受信する基地局を決定するため、メッセージを分析する（工程３０３）。より詳細には、基地局１０１は、開始メッセージかページ応答メッセージとともに受信される無線環境レポートから、基地局のOTHER_REPOTED_LISTを決定する。決定後、OTHER_REPOTED_LIST内の各基地局が遠隔装置１１３との通信を支援できるかどうかを決定するため、基地局候補が分析される（工程３０５）。特に、基地局１０１は、各基地局内に局所的に保存されたデータベースを介して、あるいは、OTHER_REPOTED_LISTをＢＳＣ１０７に報告し、ＢＳＣ１０７が次に適格なセットを基地局１０１に伝達することで、基地局のOTHER_REPOTED_LISTの各基地局の能力を決定する。
【００１７】
最後に工程３０７で、基地局１０１は、遠隔装置１１３との通信を支援できるすべての基地局に、遠隔装置１１３からのアップリンク通信を「聞く」よう命令する。前述のように、基地局１０１は、適格なセットの中のすべての基地局に、遠隔装置１１３からの逆パイロット伝送を聞くよう通知する。
【００１８】
図４は、本発明の第２実施形態による図１の基地局の動作を示すフローチャートである。本発明の第２実施形態で、基地局の動作は、遠隔装置通信を「聞く」ようにという命令に対する応答で説明される。第２実施形態で、遠隔装置を「聞く」という命令を受信する基地局は、遠隔装置からの開始メッセージまたはページ応答メッセージを受信したものと同じ基地局である場合と、そうでない場合がある。
【００１９】
論理フローは、基地局（たとえば基地局１０３）が、遠隔装置１１３からのアップリンク通信を「聞く」ようにという要求を受信し、遠隔装置１１３との通信のためにトラヒック・データおよび／または制御チャネルを確保する工程４０１から始まる。工程４０３で、基地局１０３は、遠隔装置１１３からのアップリンク通信を監視する。特に、基地局１０３は、遠隔装置１１３によって伝送されるパイロットチャネルの受信を決定するため、アップリンク通信信号１１９を監視する。
【００２０】
引き続き工程４０５で、基地局１０３は、基地局１０３が遠隔装置１０３によって選択されたかどうかを判断する。特に、基地局１０３は、基地局１０３がその後の通信用に選択されたことを示すかどうかを判断するため、遠隔装置１１３から受信されるTRANSMIT_SECTOR_INDICATOR フィールドを監視する。当業者であれば分かるように、通信が遠隔装置１１３から受信された否かどうかの決定は、所定時間量の経過後に行われる。さらに詳細には、基地局１０３が、遠隔装置１１３を「聞く」よう命令された後、基地局１０３は通信を聞き、所定時間量が経過した後（たとえば５秒）、遠隔装置１１３との通信が受信されたかどうかを決定する。工程４０５で、遠隔装置１１３からの受信TRANSMIT_SECTOR_INDICATOR が基地局１０３に対応すると判断されると、その後の通信が基地局１０３と遠隔装置１１３間で始まる工程４０７に論理フローが進む。しかし、遠隔装置１１３から受信された受信TRANSMIT_SECTOR_INDICATOR が基地局１０３に対応しないと判断されると、論理フローは、トラヒック・データまたは制御チャネルリソースが基地局１０３から解除できる工程４０９に進む。
【００２１】
図５は、本発明の好ましい実施形態による図１の遠隔装置の動作を示すフローチャートである。論理フローは、閾値（T_ADD ）を超える信号強度レベルを有する基地局を決定するよう、遠隔装置が無線環境を監視する工程５０１から始まる。工程５０３で、遠隔装置１１３は、最もよく機能する基地局を決定する。前述のように、最もよく機能する基地局は、最良の無線環境特徴を有する基地局である。次に、遠隔装置１１３は、チャネル要求メッセージにより、最もよく機能する基地局に通信要望を通知する（工程５０５）。前述のように、該通信要望は、開始メッセージまたはページ応答メッセージを介して、最もよく機能する基地局に伝送される。チャネル要求メッセージに応答し、工程５０７で遠隔装置は、遠隔装置１１３との通信が可能な基地局リスト（適格なセット）を、最もよく機能する基地局から受信する。次に、遠隔装置１１３は、最良の無線環境特徴を有する基地局を決定するため、適格な基地局のセットを監視し（工程５０９）、すなわち、遠隔装置１１３は、工程５０９で、最良の受信状態を有する基地局のために、適格な基地局を監視する。前述のように、遠隔装置１１３は、急速に変化する無線環境にあるため、適格なセットの最もよく機能する基地局が、開始メッセージやページ応答メッセージを伝送された基地局である場合も、そうでない場合もある。最後に、工程５１１で、遠隔装置は、最もよく機能する基地局と通信を開始する（通話を開始する）。前述のように、これは、基地局との通信が要望されていると、最もよく機能する基地局に通知するため、逆リンクパイロットチャネル内でTRANSMIT_SECTOR_INDICATOR を利用して、遠隔装置１１３によって達成される。
【００２２】
通話開始のためのTIA/EIA/IS-2000-A 変更
以下の文章は、前述のように通話の開始を行うための、TIA/EIA/IS-2000-A の必要な変更を提供する。
【００２３】
２．６．３．３ページ応答サブステート
［．．．］
５．拡張チャネル割当メッセージ：移動局は以下のようにメッセージを処理しなければならない。
【００２４】
［．．．］
ASSIGN_MODErが「１１０」に等しい場合、移動局は以下の動作を実行する。
−PACAs がenabled  に等しい場合、移動局はPACAs をdisabledに設定し、PACA_CANCEL を「０」に設定し、ＰＡＣＡステートタイマを使用不可にし、ＰＡＣＡ通話が取り消されたことをユーザに示す。
【００２５】
−GRANTED_MODEr が「００」に等しく、多重オプションとDEFAULT_CONFIGr フィールドに指定される無線設定が移動局により支援されていない場合、移動局は、ORDQフィールドを「０００００１１０」（移動局により支援されていない能力）に設定して、移動局拒否オーダーを送信し、ページ応答サブステートにとどまる。
【００２６】
−GRANTED_MODEr が「００」に等しく、DEFAULT_CONFIGr が「TBD 」に等しくない場合、移動局は、ORDQフィールドを「００００１１１０」（RCがDEFAULT_CONFIGに一致しない）に設定して、移動局拒否オーダーを送信し、以下の条件のいずれかが真であれば、ページ応答サブステートにとどまる。
【００２７】
＋FOR_RCr が、表３．７．２．３．２．２１- ２に指定されるようなDEFAULT_CONFIGr に関するRCと等しくない。
＋REV_RCr が、表３．７．２．３．２．２１- ２に指定されるようなDEFAULT_CONFIGr に関するRCと等しくない。
【００２８】
−移動局が無線設定（FOR_RCまたはREV_RC）のいずれも支援していない場合、移動局は、ORDQフィールドを「０００００１１０」（移動局により支援されていない能力）に設定して、移動局拒否オーダーを送信し、ページ応答サブステートにとどまる。
−FREQ_INCLrが「１」に等しく、バンドクラス（BAND_CLASSr ）が移動局により支援されていない場合、移動局は、ORDQフィールドを「０００００１１０」（移動局により支援されていない能力）に設定して、移動局拒否オーダーを送信し、ページ応答サブステートにとどまる。
【００２９】
−移動局が上記に指定される移動局拒否オーダーを送信しない場合、以下に指定される動作を実行し続ける。
−FREQ_INCLrが「１」に等しい場合、移動局は以下を設定する。
＋CDMABANDs=BAND_CLASSr
＋CDMACHs=CDMA_FREQr
【００３０】
−移動局はバイパスインジケータ（BYPASS_ALERT_ANSERs=BYPASS_ALERT_ANSWERr）を格納する。
−移動局は許可されたモード（GRANTED_MODEs=GRANTED_MODEr)を格納する。
−移動局はデフォルト設定（DEFAULT_CONFIGs ＝DEFAULT_CONFIGr ）を格納する。
【００３１】
−移動局は順方向トラヒックチャネル無線設定（FOR_RCs ＝FOR_RCr ）か逆方向トラヒックチャネル無線設定（REV_RCs ＝REV_RCr ）を格納する。
【００３２】
−移動局はフレームオフセット（FRAME_OFFSETs ＝FRAME_OFFSETr ）を格納する。
−移動局はメッセージ暗号化モードインジケータ（ENCRYPT_MODEs ＝ENCRYPT_MODEr ）を格納する。
【００３３】
−移動局は順方向パワー制御サブチャネル相対ゲイン「FPC_SUBCHAN_GAINs=FPC_SUBCHAN_GAINr ）を格納する。
−移動局はRLGAIN_ADJs をRLGAIN_ADJr に設定する。
【００３４】
−移動局は適格なセットにそれぞれ含まれる構成者に対して以下の情報を設定する。
【００３５】
＋ELIGIBLA_PILOT_PN=ELIGIBLE_PILOT_PNr
＋ELIGIBLE_DRTRCH_CODE＝ELIGIBLE_DPTRCH_CODEr
＋［適格な隣接ＴＢＤに関する他の情報］
【００３６】
−移動局はREV_FCH_GATING_MODEsをREV_FCH_GATING_MODErに設定する。
−移動局は
REV_PWR_CNTL_DELAY_INCLrが「１」の場合、
REV_PWR_CNTL_DELAYs をREV_PWR_CNTL_DELAYr に設定する。
【００３７】
−移動局はSERV_NEGs を［TBD ］に設定する。
−FREQ_INCLrが「 １」 に等しい場合、移動局は新しい周波数割当に同調する。
−次に移動局は適格なセットの隣接セルのそれぞれのパイロットを測定し、SERVING_PNs を、最強のパイロットのELIGIBLE_PILOT_PN に設定する。
−次に移動局は、トラヒックチャネルステートで移動局制御のトラヒックチャネル開始サブステートに入る（２．６．４．２）。
［．．．］
【００３８】
２．６．３．５移動局初期化試行サブステート
［．．．］
５．拡張チャネル割当メッセージ：移動局は以下のようにメッセージを処理しなければならない。
【００３９】
［．．．］
ASSIGN_MODErが「１１０」に等しい場合、移動局は以下の動作を実行する。
−PACAs がenabled 、移動局はPACAs disabledに設定し、PACA_CANCEL を「０」に設定し、ＰＡＣＡステートタイマを使用不可にし、ＰＡＣＡ通話が取り消されたことをユーザに示す。
【００４０】
−GRANTED_MODEr が「００」に等しく、多重オプションとDEFAULT_CONFIGr フィールドに指定される無線設定が移動局により支援されていない場合、移動局は、ORDQフィールドを「０００００１１０」（移動局により支援されていない能力）に設定して、移動局拒否オーダーを送信し、ページ応答サブステートにとどまる。
【００４１】
−GRANTED_MODEr が「００」に等しく、DEFAULT_CONFIGr が「TBD 」に等しくない場合、移動局は、ORDQフィールドを「００００１１１０」（RCがDEFAULT_CONFIGに一致しない）に設定して、移動局拒否オーダーを送信し、以下の条件のいずれかが真であれば、ページ応答サブステートにとどまる。
【００４２】
＋FOR_RCr が、表３．７．２．３．２．２１- ２に指定されるようなDEFAULT_CONFIGr に関するRCと等しくない。
＋REV_RCr が、表３．７．２．３．２．２１- ２に指定されるようなDEFAULT_CONFIGr に関するRCと等しくない。
【００４３】
−移動局が無線設定（FOR_RCまたはREV_RC）のいずれも支援していない場合、移動局は、ORDQフィールドを「０００００１１０」（移動局により支援されていない能力）に設定して、移動局拒否オーダーを送信し、ページ応答サブステートにとどまる。
【００４４】
−FREQ_INCLrが「１」に等しく、バンドクラス（BAND_CLASSr ）が移動局により支援されていない場合、移動局は、ORDQフィールドを「０００００１１０」（移動局により支援されていない能力）に設定して、移動局拒否オーダーを送信し、ページ応答サブステートにとどまる。
【００４５】
−移動局が上記に指定される移動局拒否オーダーを送信しない場合、以下に指定される動作を実行し続ける。
−F REQ_INCLrが「１」に等しい場合、移動局は以下を設定する。
＋CDMABANDs=BAND_CLASSr
＋CDMACHs=CDMA_FREQr
【００４６】
−移動局はバイパスインジケータ（BYPASS_ALERT_ANSERs=BYPASS_ALERT_ANSWERr）を格納する。
−移動局は許可されたモード（GRANTED_MODEs=GRANTED_MODEr)を格納する。
−移動局はデフォルト設定（DEFAULT_CONFIGs ＝DEFAULT_CONFIGr ）を格納する。
【００４７】
−移動局は順方向トラヒックチャネル無線設定（FOR_RCs ＝FOR_RCr ）か逆方向トラヒックチャネル無線設定（REV_RCs ＝REV_RCr ）を格納する。
【００４８】
−移動局はフレームオフセット（FRAME_OFFSETs ＝FRAME_OFFSETr ）を格納する。
−移動局はメッセージ暗号化モードインジケータ（ENCRYPT_MODEs ＝ENCRYPT_MODEr ）を格納する。
【００４９】
−移動局は順方向パワー制御サブチャネル相対ゲイン「FPC_SUBCHAN_GAINs=FPC_SUBCHAN_GAINr 」を格納する。
・−移動局はRLGAIN_ADJs をRLGAIN_ADJr に設定する。
【００５０】
・−移動局は適格なセットにそれぞれ含まれる構成者に対して以下の情報を設定する。
＋ELIGIBLA_PILOT_PN=ELIGIBLE_PILOT_PNr
＋ELIGIBLE_DRTRCH_CODE＝ELIGIBLE_DPTRCH_CODEr
＋［適格な隣接ＴＢＤに関する他の情報］
【００５１】
・−移動局はREV_FCH_GATING_MODEsをREV_FCH_GATING_MODErに設定する。
・−移動局は
REV_PWR_CNTL_DELAY_INCLrが「１」の場合、
REV_PWR_CNTL_DELAYs をREV_PWR_CNTL_DELAYr に設定する。
【００５２】
−移動局はSERV_NEGs を［ＴＢＤ］に設定する。
−FREQ_INCLrが「 １」 に等しい場合、移動局は新しい周波数割当に同調する。
−次に移動局は適格なセットの隣接セルのそれぞれのパイロットを測定し、SERVING_PNs を、最強のパイロットのELIGIBLE_PILOT_PN に設定する。
【００５３】
−次に移動局は、トラヒックチャネルステートで移動局制御のトラヒックチャネル開始サブステートに入る（２．６．４．２）。
［．．．］
【００５４】
２．６．４．２トラヒックチャネル開始サブステート
［．．．］
トラヒックチャネル開始サブステートにある間、移動局は以下を実行する。
・拡張チャネル割当メッセージからのASSIGN_MODErフィールドが「 １１０」 に等しい場合、移動局は、SERVING_PNs を伴う順方向トラヒックチャネルを監視する。等しくなければ、移動局は使用可能なセットの１乃至それ以上を伴う順方向トラヒックチャネルを監視する。
【００５５】
［．．．］
移動局が、割り当てられたＣＤＭＡチャネルと、割り当てられた順方向トラヒックコードチャネルを支援する場合、移動局は以下を実行する。
・移動局は、割り当てられたＣＤＭＡチャネルに同調する。
・拡張チャネル割当メッセージからのASSIGN_MODErフィールドが「 １１０」 に等しい場合、移動局は、SERVING_PNs を伴う順方向トラヒックチャネルにコードチャネルを設定する。等しくなければ、移動局は、割り当てられた順方向トラヒックコードチャネル用に移動局のコードチャネルを設定する。
【００５６】
・移動局は、FRAME_OFFSETs で決定されるように、その順方向および逆方向トラヒックチャネルフレームオフセットを、割り当てられたフレームオフセットに設定する。
【００５７】
・移動局は、その順方向および逆方向トラヒックチャネルのロングコードマスクを公共ロングコードマスクに設定する( ［２］の２．１．３．１．１２参照) 。
【００５８】
［．．．］
移動局が、このサブステートに入った後Ｔ５０ｍ秒以内にFPC_PRI_CHANs に対応する物理チャネル上に十分な信号品質( たとえば良好なフレーム) の( Ｎ５ｍ□２０) ｍｓの期間を受信しなければ、移動局は、システム損失表示付きで移動局初期化状態のシステム決定サブステートに入る( ２．６．１．１参照) 。
【００５９】
拡張チャネル割当メッセージからのASSIGN_MODErフィールドが「 １１０」 に等しい場合、移動局は、［ＴＢＤ］に指定されるとおりに逆順方向トラヒックチャネルの送信を開始する。
【００６０】
移動局が、このサブステートに入った後Ｔ５０ｍ秒以内にFPC_PRI_CHANs に対応する物理チャネル上に十分な信号品質( たとえば良好なフレーム) の( Ｎ５ｍ□２０)ｍｓの期間を受信した場合、移動局は、トラヒックチャネル初期化サブステートにとどまりながら、以下の追加機能を実行する。
【００６１】
・移動局は、２．６．４．１．８に指定されるとおりに順方向トラヒックチャネル監視を実行する。順方向トラヒックチャネルの損失が宣言されると、移動局は、システム損失表示付きで移動局初期化サブステートのシステム決定サブステートに入る（２．６．１．１参照）。
【００６２】
・移動局は［２］の２．１．２．３に指定されるとおりにその伝送パワーを調整する。
・拡張チャネル割当メッセージからのASSIGN_MODErフィールドが「１１０」に等しくない場合、移動局は、［２］の２．１．３．６．２．３と２．１．２．７．２．３に指定されるとおりにトラヒックチャネル序文を伝送する。
【００６３】
・レイヤー３は、レイヤー２の獲得専用チャネル表示を送信する（［４］の２．２．２．１．２参照）。
・移動局は順方向トラヒックチャネルの信号発信トラヒックを処理し、他の種類の順方向トラヒックチャネルトラヒックを廃棄する。
【００６４】
・レイヤー３がレイヤー２から、認識不良を示すＬ２条件通知プリミティブを受信すると、移動局は送信機を使用不能にし、システム損失表示付きで移動局初期化サブステートのシステム決定サブステートに入る（２．６．１．１参照）。
【００６５】
［．．．］
３．６．３．５開始メッセージへの応答
基地局が開始メッセージを受信すると、移動局は、チャネル割当メッセージ、拡張チャネル割当メッセージ、傍受オーダー、並べ替えオーダー、解除オーダー、再試行オーダー、ＰＡＣＡメッセージまたはサービス方向変換メッセージを送信する。基地局は、認証手順（２．３．１２参照）かＴＭＳＩ割当手順（２．３．１５参照）も開始する。基地局は、ステータス要求メッセージでステータス情報記録も要求できる。基地局がバンドクラス０で移動局と動作すると、基地局はステータス要求オーダーでステータス情報記録も要求できる。
【００６６】
基地局が、「１１０」以外のASSIGN_MODE で拡張チャネル割当メッセージを送信すると、基地局は、使用可能なセットとなる複数のパイロットを含むことができる。
【００６７】
基地局がASSIGN_MODE=「１１０」で拡張チャネル割当メッセージを送信すると、基地局は、適格なセットとなる複数のパイロットを含むことができる。
［．．．］
【００６８】
３．６．４．２トラヒックチャネル初期化サブステート
［．．．］
トラヒックチャネル初期化サブステートにある間、基地局は以下を実行する。
・順方向基礎チャネルが割り当てられている場合、基地局は、信号発信トラヒックを伝送する場合を除き、順方向基礎チャネル上でヌルトラヒックチャネルデータを伝送する。
【００６９】
・FPC_PRI_CHANが「０」に設定されている場合、基地局は、順方向基礎チャネル上でパワー制御ビットを伝送する。FPC_PRI_CHANが「１」に設定されている場合、基地局は、順方向専用制御チャネル上でパワー制御ビットを伝送する。
【００７０】
・順方向専用ポインタチャネルが割り当てられている場合、基地局は、逆方向伝送セクタインジケータチャネルを監視する。逆方向伝送セクタインジケータチャネルの獲得後、TSI フィールドが、基地局に付属するPN_OFFSET を示唆すると、PTR=「０」とパワー制御ビットともに順方向専用ポインタチャネルを伝送する。
【００７１】
・基地局が逆方向トラヒックチャネルを獲得すると、レイヤー３は、逆方向専用チャネル獲得の表示をレイヤー２に送信する（［４］の２．２．２．１．２参照）。レイヤー３は、（３．６．８に指定されるように）通話制御例を示す。レイヤー３は、この通話制御例にＮＵＬＬのデフォルト識別子を割り当てる。レイヤー３はトラヒックチャネルサブステートに入る。
【００７２】
・基地局が逆方向トラヒックチャネルの獲得に失敗した場合、基地局は以下の内の１つを実行する。
ページングチャネル上でチャネル割当メッセージか拡張チャネル割当メッセージを再伝送し、トラヒックチャネル初期化サブステートにとどまる。
順方向共通制御チャネル上で拡張チャネル割当メッセージを再伝送し、トラヒックチャネル初期化サブステートにとどまる。
順方向トラヒックチャネル上の伝送を使用不能にし、移動局用のトラヒックチャネル処理を終了する。
【００７３】
本発明は、特定の実施形態を参照して特に図示および説明してきたが、本発明の精神と範囲から逸脱することなく、形式と詳細に様々な変更が行えることは当業者には明白である。かかる変更は特許請求の範囲に包含されるものとする。
【図面の簡単な説明】
【図１】  本発明の好ましい実施形態による通信システムのブロック図。
【図２】  本発明の好ましい実施形態による図１の通信システムの動作を示すフローチャート。
【図３】  本発明の好ましい実施形態による図１の基地局の動作を示すフローチャート。
【図４】  本発明の第２実施形態による図１の基地局の動作を示すフローチャート。
【図５】  本発明の好ましい実施形態による図１の遠隔装置の動作を示すフローチャート。
【図１】
0005031975.tif 000002
【図２】
0005031975.tif 000003
【図３】
0005031975.tif 000004
【図４】
0005031975.tif 000005
【図５】
0005031975.tif 000006